(57)【要約】  【課題】  低周波数帯において音圧レベルを向上させるとともに、小型軽量化を実現することが可能なイヤホンを提供することを目的とする。  【解決手段】  イヤホン１であって、圧電スピーカーユニットを内蔵するとともに、一部に開口部を有する筐体と、前記筐体上に前記開口部を取り囲んで設けられた、外方に向かって突出し、先端に向かって幅狭となる筒部と、前記筒部の先端部に設けられたイヤーピースとを備えている。【選択図】図２
2016012768.tif 000002
【特許請求の範囲】
【請求項１】
圧電スピーカーユニットを内蔵するとともに、一部に開口部を有する筐体と、
前記筐体上に前記開口部を取り囲んで設けられた、外方に向かって突出し、先端に向かって幅狭となる筒部と、
前記筒部の先端部に設けられたイヤーピースとを備えたことを特徴とするイヤホン。
【請求項２】
請求項１に記載のイヤホンであって、
前記筒部内には、前記開口部と重なる位置に貫通孔を有するダンパーが設けられていることを特徴とするイヤホン。
【請求項３】
請求項１または請求項２に記載のイヤホンであって、
前記先端部の開口内には、前記開口を塞ぐスクリーンが設けられていることを特徴とするイヤホン。
【請求項４】
請求項１ないし請求項３のいずれかに記載のイヤホンであって、
前記圧電スピーカーユニットは、前記開口部を塞ぐように、テープを介して前記筐体に張り付けられていることを特徴とするイヤホン。
【請求項５】
請求項１ないし請求項４のいずれかに記載のイヤホンであって、
前記圧電スピーカーユニットは、フィルムと、前記フィルムの外縁を固定したフレームと、前記フィルム上に設けた圧電素子と、前記フィルム上に前記圧電素子を被覆した樹脂とを備えていることを特徴とするイヤホン。
【発明の詳細な説明】
【技術分野】
【０００１】
本発明は、鼓膜および耳珠を振動させる、圧電スピーカーユニットを用いたイヤホンに関する。
【背景技術】
【０００２】
従来技術として、電磁スピーカーやフィルムスピーカーを用いたイヤホンが提案されている（下記、特許文献１参照）。市販されている廉価のイヤホンの多くが、電磁スピーカーを用いているが、電磁スピーカーを用いた場合は、２０Ｈｚ以下の周波数帯において９０ｄＢ以上の音圧レベルの音を実現することが難しく  、広帯域再生対応のイヤホンであっても１０Ｈｚ以下の周波数帯においては１００ｄＢ以上の音圧レベルの音を実現することが困難な状況である。また、同様に２０ｋＨｚ以上の超高音域の音の再生についても従来の電磁スピーカーを用いた場合においても難しい状況であり、超低音域から超高音域までの広い帯域の音を再生することが困難であった。なお、一般的に、コンパクトディスク（Compact Disc Digital Audio）で収録される音質帯域は、２０Ｈｚ〜２０ｋＨｚの周波数帯であって、人間の耳で聞き取れない周波数はカットされている。近年、人間の耳に聞こえない可聴域外の周波数帯の音情報を入れたハイレゾリューション音源が注目されている。自然の音には基準となる１次振動の音の倍音となる高次高調波が存在するため、可聴域帯の音であっても高次高調波が重畳した状態で聞くことになる。このため、可聴域外の音情報をカットしたＣＤ音源よりハイレゾリューション音源はより原音に近い音情報となるため臨場感のある高音質な音として注目されている。しかしながら、前述の広帯域再生対応のイヤホンであっても４０ｋＨｚ以上の超高音域の再生においては５０ｄＢを超える音圧レベルの音の実現は難しかった。
【０００３】
さらに、電磁スピーカーは、電磁石とコイルが必須の構成要件となっており、特に低音域の音圧レベル特性を向上させようとすると、大型化するという課題を有している。同様に超高周波音を再生させようとすると小型のスピーカーが有利となるため、ますます低音域の再生が困難となることになる。
【先行技術文献】
【特許文献】
【０００４】
【特許文献１】実公平１−１００６０号公報
【発明の概要】
【発明が解決しようとする課題】
【０００５】
特許文献１の技術は、１００Ｈｚ以下の低い周波数帯、特に３０Ｈｚ以下の低域周波数帯において、音圧レベルを向上させようとすると、電磁スピーカーの大型化が必須となっている。そして、イヤホンの大型化にともない、イヤホン自体の重量も大きくなってしまう虞がある。
【０００６】
本発明は、上記に鑑みてなされたものであって、低域周波数帯において音圧レベルを向上させるとともに、小型軽量化を実現することが可能なイヤホンを提供することを目的とする。また、２０ｋＨｚ以上の超高音帯域において高い音圧レベルでの再生が可能なイヤホンを提供することを目的とする。
【課題を解決するための手段】
【０００７】
本発明の一実施形態に係るイヤホンは、圧電スピーカーユニットを内蔵するとともに、一部に開口部を有する筐体と、前記筐体上に前記開口部を取り囲んで設けられた、外方に
向かって突出し、先端に向かって幅狭となる筒部と、前記筒部の先端部に設けられたイヤーピースとを備えている。
【発明の効果】
【０００８】
本発明によれば、低域周波数帯において音圧レベルを向上させるとともに、小型軽量化を実現することが可能なイヤホンを提供することができる。
【図面の簡単な説明】
【０００９】
【図１】本実施形態に係るイヤホンを左の耳に装着した状態を示した概観図である。
【図２】本実施形態に係るイヤホンの側面図である。
【図３】図２のＸ−Ｘに沿った、イヤホンの断面図である。
【図４】図２のＸ−Ｘに沿った、イヤホンを分解した状態を示す断面図である。
【図５】圧電スピーカーユニットの平面図である。
【図６】図５のＹ−Ｙに沿った、圧電スピーカーユニットの断面図である。
【図７】本実施形態に係るイヤホンと、比較例１に係るイヤホンとを比較した実験結果である。
【図８】本実施形態に係るイヤホンと、比較例２に係るイヤホンとを比較した実験結果である。
【図９】本実施形態に係るイヤホンと、比較例２に係るイヤホンとを比較した実験結果である。
【図１０】一変形例に係るイヤホンの側面図である。
【図１１】図１０のイヤホンの一部を分解した状態を示す側面図である。
【発明を実施するための形態】
【００１０】
以下に添付図面を参照して、本発明にかかるイヤホンの実施形態を説明する。なお、図１から図４は、左の耳に装着して使用するイヤホンを示している。また、図５および図６は、イヤホンに用いた、圧電スピーカーユニットを示している。なお、図４の矢印は、ダンパー７が開口部Ｈを介して、筒部３Ａ内に設ける部材であることを視覚的に示すものである。
【００１１】
＜イヤホンの構成＞
本実施形態に係るイヤホン１は、例えば、スマートフォン、ポータブルオーディオプレーヤーまたはポータブルメディアプレーヤー等の携帯音楽端末や、ラジオ等の無線通信端末に用いるものであって、耳に装着して使用する。イヤホン１は、圧電スピーカーユニット２を内蔵するとともに、一部に開口部Ｈを有する筐体３と、筐体３上に開口部Ｈを取り囲んで設けられた、外方に向かって突出し、先端に向かって幅狭となる筒部３Ａと、筒部３Ａの先端部に設けられたイヤーピース４とを備えている。
【００１２】
圧電スピーカーユニット２は、振動することで音波を発生させることができる。具体的には、圧電スピーカーユニット２は、圧電素子２３が振動することで、フィルム２１に振動が伝わり、さらにフィルム２１が振動して、空気を震わせて音波を発生させえることができる。圧電スピーカーユニット２は、厚みが１ｍｍ以下であって、音の指向性広く、磁石を用いない構成である。なお、圧電スピーカーユニット２は、重量が数ｇ以下であって、１ｇ以下も実現することができる。かかる圧電スピーカーユニット２は、図５または図６に示すように、フィルム２１と、フィルム２１の外縁を固定したフレーム２２と、フィルム２１上に設けた圧電素子２３と、フィルム２１上に圧電素子２３を被覆した樹脂２４とを備えている。
【００１３】
フィルム２１は、シート状であって、引っ張られることで弛みがない状態となる。フィルム２１は、例えば、ポリイミドやＰＥＴなどの絶縁材料からなる。フィルム２１は、図
５に示すように一辺の長さが５ｍｍ以上２０ｍｍ以下であって、図６に示すように、上下方向の厚みが０．００５ｍｍ以上０．１ｍｍ以下に設定されている。
【００１４】
フレーム２２は、枠状であって、フィルム２１の外縁を上下から挟んでフィルム２１を張った状態で固定するものである。フレーム２２は、例えば、ステンレス、真鍮または銅などの金属材料からなる。フレーム２２は、図５に示すように外周における一辺の長さが５ｍｍ以上２０ｍｍ以下であって、内周における一辺の長さが４ｍｍ以上１９ｍｍ以下であって、図６に示すように上下方向の厚みが０．５ｍｍ以上３ｍｍ以下に設定されている。
【００１５】
圧電素子２３は、バイモルフ構造を有する圧電体で構成されている。圧電素子２３は、分極された複数の圧電体層と複数の電極層とが交互に積層された構造である。そして、圧電素子２３は、一方主面および他方主面が屈曲するように屈曲振動することで、音響振動が発生する。また、圧電素子２３を構成する圧電体層は、例えば、ジルコン酸鉛またはチタン酸ジルコン酸鉛などの鉛系圧電材料、あるいはＢｉ層状化合物、ングステンブロンズ構造化合物、ニオブ酸アルカリまたはチタン酸バリウム等のペロブスカイト構造化合物の非鉛系圧電体材料等からなる。圧電素子２３を構成する電極層は、例えば、銀またはパラジウムが含まれた合金や、この合金にセラミック成分やガラス成分を含有させたものからなる。圧電素子２３は、図５に示すように一辺の長さが３．９ｍｍ以上１８．５ｍｍ以下であって、図６に示すように上下方向の厚みが０．００１ｍｍ以上０．１ｍｍ以下に設定されている。
【００１６】
このような圧電素子２３は、例えば次のような方法によって作製することができる。まず、圧電材料の粉末にバインダー、分散剤、可塑剤および溶剤を添加して掻き混ぜて、スラリーを作製し、得られたスラリーをシート状に成形し、グリーンシートを作製する。次に、グリーンシートに導体ペーストを印刷して電極層パターンを形成し、この電極層パターンが形成されたグリーンシートを積層して、積層成形体を作製した後に、脱脂、焼成し、所定寸法にカットすることにより積層体を得る。次に、表面電極２３ａを形成するための導体ペーストを印刷し、所定の温度で焼付けた後に、電極層を通じて直流電圧を印加して圧電体層の分極を行う。このようにして、圧電素子２３を得ることができる。
【００１７】
圧電素子２３上に形成された、表面電極２３ａは、図５に示すように、それぞれ電線２３ｂと接続されている。表面電極２３ａは、プラスの電極とマイナスの電極に分かれており、それぞれが電気的に絶縁されている。そして、一対の電線２３ｂが、フレーム２２外にまで引き延ばされている。そして、一対の電線２３ｂは、圧電素子２３を制御する電気回路や圧電素子２３に電源を供給する電源と電気的に接続されている。電線２３ｂは、筐体３から外部に向かって引き出されている。なお、電線２３ｂは、圧電素子２３の表面電極２３ａと接続される箇所は、電線が剥き出しになっているが、筐体３から外部に引き出されている部分は、端部を除いてカバーされている。
【００１８】
また、イヤホン１に実装された段階では、図５に示すように、圧電素子２３の表面電極２３ａは、二つだけである。ただし、積層体において圧電体層の分極時には、表面電極２３ａは三つに分かれている。圧電スピーカーユニット２組立時に、導電ペーストを圧電素子２３の表面に塗って、表面電極２３ａを三つから二つに変更している。
【００１９】
樹脂２４は、圧電素子２３を封止するものである。樹脂２４は、例えば、アクリル系樹脂またはエポキシ系樹脂などの絶縁材料からなる。樹脂２４は、図５に示すように一辺の長さが４ｍｍ以上１９ｍｍ以下であって、図６に示すように、上下方向の厚みが０．１ｍｍ以上３ｍｍ以下に設定されている。樹脂２４は、図６に示すように、圧電素子２３を被覆するとともに、フレーム２２の内側に充填されている。そして、圧電素子２３は、フィ
ルム２１と樹脂２４によって封止されている。
【００２０】
筐体３は、圧電スピーカーユニット２を内蔵するとともに、一部に開口部Ｈを有している。筐体３は、箱型部３１と蓋部３２とを有し、箱型部３１に開口部Ｈが設けられている。筐体３は、箱型部３１内に圧電スピーカーユニット２を実装し、箱型部３１に対して蓋部３２を固定することで、筐体３内に圧電スピーカーユニット２を内蔵することができる。筐体３は、例えば、ＡＢＳ系樹脂、アクリル系樹脂、ＰＥＥＫ、ＰＯＭ、ＰＣ、ＬＣＰ等の樹脂材料からなる。あるいは、筐体３は、一部もしくは全部が金属系材料であっても良い。蓋部３２は、板状であって、一辺の長さが５ｍｍ以上２０ｍｍ以下であって、厚みが０．１ｍｍ以上３ｍｍ以下に設定されている。なお、箱型部３１の深さは、１ｍｍ以上２０ｍｍ以下に設定されている。
【００２１】
筒部３Ａは、筐体３上に開口部Ｈを取り囲んで設けられている。筒部３Ａは、イヤホン１を耳に取り付けた状態で、圧電スピーカーユニット２からの音波を鼓膜に効果的に伝えるものである。筒部３Ａは、外方に向かって突出し、先端に向かって幅狭となっている。筒部３Ａは、筐体３と一体物であることが望ましく、筒部３Ａの内部の空洞と筐体３の開口部Ｈ内の空間とは繋がっている。筒部３Ａは、筐体３側から先端側までの長さが５ｍｍ以上２０ｍｍ以下であって、下端の外周の直径が５ｍｍ以上２０ｍｍ以下であって、下端の内周の直径が４ｍｍ以上１９ｍｍ以下に設定されている。また、筒部３Ａの先端における外周の直径は、２．５ｍｍ以上７ｍｍ以下であって、内周の直径が２ｍｍ以上６．５ｍｍ以下に設定されている。さらに、筒部３Ａの外周と内周の間の厚みは、０．２ｍｍ以上２ｍｍ以下に設定されている。
【００２２】
イヤーピース４は、筒部３Ａの先端部に設けられている。イヤーピース４は、耳の外耳道内の一部にイヤホン１を取り付けるものである。イヤーピース４は、外耳道の内面を傷つけないように、外耳道の奥に突っ込む端部の外径が小さく、外耳道の手前に位置する外径が大きくなるように設定されている。このように、イヤーピース４の外径を変化させることで、イヤーピース４の一端を外耳道内に嵌めやすくすることができる。さらに、イヤーピース４の一端とイヤーピース４の他端との間には、外径が最も大きくなっている箇所が形成されている。イヤーピース４の一端とイヤーピース４の他端との間に、外径が最も大きくなっている箇所を設けることで、外耳道の形状は複雑にカーブするように鼓膜につながっているが、外耳道の複雑な形状に対応するように嵌まりやすくすることができる。
【００２３】
イヤーピース４は、変形可能な弾性体であって、例えば、エポキシ樹脂、アクリル樹脂、シリコンまたはウレタンゴム等の樹脂からなる。イヤーピース４は、弾性体から構成されていることで、人の力で簡単に変形させて外耳道内に嵌めることができる。
【００２４】
イヤーピース４には、円柱状の貫通孔Ｔ１が設けられている。貫通孔Ｔ１は、筒部３Ａの先端部に取り付けた状態で、筒部３Ａ内の空間と繋がるように設定されている。そして、筒部３Ａ内の音波は、イヤーピース４の貫通孔Ｔ１内を通って鼓膜に効果的に伝わることができる。なお、イヤーピース４は、貫通孔Ｔ１の直径が２ｍｍ以上７ｍｍ以下であって、一端から他端までの長さが０．８ｍｍ以上１．５ｍｍ以下に設定されている。
【００２５】
圧電スピーカーユニット２は、両主面に吸音材５が両面テープを介して設けられている。吸音材５は、圧電スピーカーユニット２が発する高周波数帯の音圧レベルを抑え、音のバランスを調整するものである。吸音材５は、圧電スピーカーユニット２の両主面の全体を覆うように設けられている。吸音材５は、例えばポリウレタン系、ゴム系またはポリエチレン系等の材料からなる。
【００２６】
また、圧電スピーカーユニット２の一主面は、開口部Ｈを塞ぐように、テープ６を介し
て筐体３に張り付けられている。テープ６は、防水機能を有しており、筐体３内に水分が浸入するのを抑制するものである。テープ６の筐体３と貼り合わされる側であって、テープ６の外縁には両面テープを枠状に貼って、テープ６を筐体３に貼り付けている。さらに、テープ６の圧電スピーカーユニット２側には、テープ６の外縁に両面テープを枠状に貼って、吸音材５が貼り合わされている。そして、圧電スピーカーユニット２がテープ６を介して筐体３に固定されている。なお、テープ６は、例えばポリオレフィン系樹脂、ゴム系等の材料からなる。テープ６は、一辺の長さが４ｍｍ以上１９ｍｍ以下に設定されている。
【００２７】
ダンパー７は、筒部３Ａ内に開口部Ｈと重なる位置に設けられている。ダンパー７は、円錐台形状であって、中心部分に貫通孔Ｔ２が設けられている。ダンパー７は、圧電スピーカーユニット２から発生する音波の中高域周波数帯の音圧レベルを抑え、音のバランスを調整するものである。ダンパー７は、外周が筒部３Ａの内側に嵌るように設けられている。ダンパー７は、例えばポリウレタンフォーム、ポリエステル系などの材料からなり、ポーラス材料である。ダンパー７は、外径が４ｍｍ以上２０ｍｍ以下であって、上下方向の長さが１ｍｍ以上２０ｍｍ以下に設定されている。また、貫通孔Ｔ２は、円柱状であって直径が１ｍｍ以上１８ｍｍ以下であって、上下方向の長さがダンパー７の長さと一致している。
【００２８】
スクリーン８は、筒部３Ａの先端部の開口内に設けられている。スクリーン８は、筒部３Ａの開口を塞ぐように設けられている。スクリーン８は、圧電スピーカーユニット２から発生する音波の高周波数帯の音圧レベルを抑え、音のバランスを調整するものである。スクリーン８は、筒部３Ａの先端部の開口内に嵌っている。スクリーン８は、例えばポリウレタンフォーム、ポリエステル系等の材料からなり、ポーラス材料である。スクリーン８は、外径が３ｍｍ以上７ｍｍ以下であって、上下方向の長さが１ｍｍ以上２０ｍｍ以下に設定されている。また内部に貫通孔があっても良く、その直径は１ｍｍ以上６ｍｍ以下に設計されている。
【００２９】
図７から図９は、本実施形態に係るイヤホンに関する視聴音源の音圧レベル特性結果である。視聴音源の音圧レベル特性は、音が響きにくい無協箱内に配置したダミーヘッドにイヤホンを装着し、イヤホンから各周波数の音波を発した。そしてダミーヘッド内のコンデンサマイクで検知する音をイヤホン装着者が視聴する視聴音源の音として評価した。
【００３０】
図７は、本実施形態に係るイヤホン１と、比較例１に係るイヤホンとを比較した実験結果である。具体的には、比較例１に係るイヤホンは、筒部３Ａと筐体３の間に直径１ｍｍの隙間を設けた構造であって、本実施形態に係るイヤホン１は、筒部３Ａと筐体３の間に隙間を設けない構造である。図７に示すように、比較例１に係るイヤホンは、１００Ｈｚ以下において、８０ｄＢ以下の音圧レベルであるのに対して、本実施形態に係るイヤホン１は、１００Ｈｚ以下において、１００ｄＢ以上の音圧レベルを維持している。つまり、筒部３Ａと筐体３との間には、隙間を設けない構造の方が、１００Ｈｚ以下の低周波数帯において、音圧レベルを向上させることができる。なお、本実施形態に係るイヤホン１の測定結果は実線で示し、比較例２に係るイヤホンの測定結果は破線で示している。
【００３１】
図８は、本実施形態に係るイヤホン１と、比較例２に係るイヤホンとを比較した実験結果である。具体的には、比較例２に係るイヤホンは、市販の量産化された大衆向けの電磁スピーカーイヤホンである。つまり、比較例２に係るイヤホンは、市販の高級品の電磁スピーカーイヤホンでない。図８は、本実施形態に係るイヤホン１と、比較例２に係るイヤホンの音圧レベル特性結果を比較したグラフである。ここで、電磁スピーカーイヤホンは、電磁スピーカーを用いたイヤホンのことである。測定周波数領域は、２．５Ｈｚ〜２０ｋＨｚまでの低域から中域までである。さらに、本実施形態に係るイヤホン１への印可電
圧は３Ｖであって、比較例２に係るイヤホンへの印可電圧は０．５Ｖである。なお、本実施形態に係るイヤホン１の測定結果は実線で示し、比較例２に係るイヤホンの測定結果は破線で示している。
【００３２】
図８に示すように、１００Ｈｚ以下の周波数領域に注目して説明する。特に２．５Ｈｚ〜３０Ｈｚの周波数領域、いわゆる低域周波数帯においては、本実施形態に係るイヤホン１が比較例２に係るイヤホンよりも音圧レベルが大きい。具体的には、低域周波数帯においては、比較例２に係るイヤホンの音圧レベルが、２．５Ｈｚ〜３０Ｈｚにかけて、６８．１３ｄＢ〜９９．７８ｄＢに変化している。一方、本実施形態に係るイヤホン１の音圧レベルは、９２．６ｄＢ〜１０４．３５ｄＢに変化している。この結果より、本実施形態に係るイヤホン１は、比較例２に係るイヤホンに比べて、低域周波数帯において、音圧レベルが大きいことを示している。一般的に、低域周波数帯の音圧レベルが低いと、重低音の音が聞こえにくいと言われている。本実施形態に係るイヤホン１は、低域周波数帯の音圧レベルを向上させることができる。なお、本実施形態に係るイヤホン１は、５Ｈｚにおいて９８．９３ｄＢであって、７．５Ｈｚにおいて１０１．４５ｄＢであり、６Ｈｚ程度で１００ｄＢを実現することができる。高解像度のイヤホンであっても、１０Ｈｚ以下で１００ｄＢ以上の音圧レベルとすることは難しいが、本実施形態に係るイヤホン１は高解像度のイヤホン以上に音圧レベルが良好である。
【００３３】
本実施形態に係るイヤホンと、比較例２に係るイヤホンとを比較した実験結果である。図９は、本実施形態に係るイヤホン１と、比較例２に係るイヤホンの音圧レベル特性結果を比較したグラフである。測定周波数領域は、２０ｋＨｚ〜１００ｋＨｚまでの高域である。さらに、本実施形態に係るイヤホン１への印可電圧は３Ｖであって、比較例２に係るイヤホンへの印可電圧は０．５Ｖである。なお、本実施形態に係るイヤホン１の測定結果は実線で示し、比較例２に係るイヤホンの測定結果は破線で示している。図９で用いた集音マイクは、図８で用いた集音マイクと異なり、１００ｋＨｚ対応コンデンサマイクを用いている。
【００３４】
図９に示すように、２０ｋＨｚ以上の周波数領域に注目して説明する。図９においては、７０ｋＨｚ、８５ｋＨｚ、９９ｋＨｚ周辺において、比較例２に係るイヤホンが、本実施形態に係るイヤホン１と同程度の音圧レベルになっている。ただし、６５ｋＨｚ以下の周波数領域においては、本実施形態に係るイヤホン１が、比較例２に係るイヤホンに比べて、音圧レベルが大きい。つまり、本実施形態に係るイヤホン１は、高域周波数帯についても、比較例２に係るイヤホンよりも音圧レベルが大きい。このように、本実施形態に係るイヤホン１は、高域周波数帯において、音圧レベルを向上させることができる。
【００３５】
本実施形態に係るイヤホン１は、圧電スピーカーユニット２を用いたイヤホンであって、圧電スピーカーユニット２を内蔵した筐体３が、外方に向かって突出し、先端に向かって幅狭となる筒部３Ａを有し、筒部３Ａの先端部にイヤーピース４を設けたことで、電磁石やコイルを用いることがなく、イヤホン全体を小型化することができ、１００Ｈｚ以下の周波数帯、特に３０Ｈｚ以下の低域周波数帯において音圧レベルを向上させることができる。これは、圧電スピーカーユニット２からの音波を筐体３内から開口部Ｈを介して筒部３Ａの細長く、幅狭となっている空間で低音領域の音を増幅させているものと考えられる。この結果、本実施形態に係るイヤホン１は、低域周波数帯において音圧レベルを向上させるとともに、小型軽量化を実現することができる。
【００３６】
本実施形態に係るイヤホン１は、筒部３Ａ内には、開口部Ｈと重なる位置に貫通孔を有するダンパー７が設けられていることで、音響共鳴や音響抵抗等の作用によって主に中高音域の音圧レベルを調整することができる。また、本実施形態に係るイヤホン１は、筒部３Ａの先端部の開口内に、開口を塞ぐスクリーン８が設けられていることで、音響共鳴や
音響抵抗等の作用によって主に中高音領域の音圧レベルを調整することができる。さらに、本実施形態に係るイヤホン１は、圧電スピーカーユニット２が、開口部Ｈを塞ぐように、テープ６を介して筐体３に張り付けられていることで、圧電スピーカーユニットから外耳道側の密閉度を高め、主に低音域の音質を向上させることができる。
【００３７】
なお、本発明は上述の形態に限定されるものではなく、本発明の要旨を逸脱しない範囲において種々の変更、改良等が可能である。以下、本発明の実施形態の変形例について説明する。なお、本発明の実施形態の変形例に係るイヤホンのうち、本発明の実施形態に係るイヤホンと同様な部分については、同一の符号を付して適宜説明を省略する。
【００３８】
図１０は、一変形例に係るイヤホン１ｘの側面図であって、図２の側面図に対応している。図１１は、図１０のイヤホン１ｘの一部を分解した状態を示す側面図である。一変形例に係るイヤホン１ｘは、本実施形態に係るイヤホン１と比較して、筒部３ｘの根元に外界とつながる空気孔ｐが設けられている点と、空気孔ｐの周囲に設けられたカバー部３Ｂが設けられている点が異なる。
【００３９】
空気孔ｐは、外界と筒部３Ａ内の空間とを繋げるものであって、外界の音が空気孔ｐを介して筒部３Ａ内に伝わる。そして、筒部３Ａ内の音が鼓膜に伝わり、人は外界の音を聞くことができる。空気孔ｐはカバー部３Ｂによって覆われており、カバー部３Ｂに設けられた空気孔ｐ２と繋がる構造である。カバー部３Ｂは、筒部３Ａの周囲をスライド可能な構造であって、カバー部３Ｂを筒部３Ａの周囲に対してスライドさせることで、筒部３Ａの空気孔ｐとカバー部３Ｂの空気孔ｐ２とを繋げたり、遮断したりすることができる。筒部３Ａの空気孔ｐは、カバー部３Ｂの内面に塞がられることで、筒部３Ａ内の空間と外界との繋がりを遮断することができる。このように、筒部３Ａの空気孔ｐと外界の繋がりとの間に開閉機構を設けることで、外界の音を聞いたり、遮断したりすることができる。
【００４０】
一変形例に係るイヤホン１ｘによれば、筒部３Ａに空気孔ｐを設け、それに対して開閉機構を設けることで、外耳道が外界に開放されている状態を維持して周囲環境の音（外周音）を聞いたりすることができる。
【符号の説明】
【００４１】
１  イヤホン
２  圧電スピーカーユニット
２１  フィルム
２２  フレーム
２３  圧電素子
２３ａ  表面電極
２３ｂ  電線
２４  樹脂
３  筐体
３１  箱型部
３２  蓋部
３Ａ  筒部
４  イヤーピース
５  吸音材
６  テープ
７  ダンパー
８  スクリーン
Ｈ  開口部
ｐ  空気孔
【図１】
2016012768.tif 000003
【図２】
2016012768.tif 000004
【図３】
2016012768.tif 000005
【図４】
2016012768.tif 000006
【図５】
2016012768.tif 000007
【図６】
2016012768.tif 000008
【図７】
2016012768.tif 000009
【図８】
2016012768.tif 000010
【図９】
2016012768.tif 000011
【図１０】
2016012768.tif 000012
【図１１】
2016012768.tif 000013